(57)【要約】  【課題】  水冷式空気調和装置の給水ポンプに於いて、給水ポンプの連続運転を避け、給水ポンプの負荷を低減しつつ、運転時間を延長し快適性を向上する。  【解決手段】  給水ポンプによって水冷凝縮器に水を循環させる水冷式空気調和装置に於いて、前記水冷式空気調和機の運転中に前記給水ポンプの運転停止動作を所定の運転パターンに基づいておこない、給水ポンプの連続運転時間を抑えながら、冷凍サイクルの高圧部分の圧力の上昇を防止する。【選択図】  図１
2005083636.tif 000002
【特許請求の範囲】
【請求項１】
圧縮器と、水冷凝縮器と、減圧器と、蒸発器と、送風機と、給水ポンプを有し、前記給水ポンプによって前記水冷凝縮器に水を循環させる水冷式空気調和装置に於いて、前記水冷式空気調和の運転中に前記給水ポンプの運転停止動作を所定の運転パターンで行うことを特徴とする水冷式空気調和装置。
【請求項２】
給水ポンプの運転制御装置を、水冷式空気調和装置あるいは前記給水ポンプに搭載した制御装置により制御することを特徴とする、請求項１記載の水冷式空気調和装置。
【請求項３】
給水ポンプの制御をコンパレータにより行うことを特徴とする、請求項２記載の水冷式空気調和装置。
【請求項４】
給水ポンプの制御をマイコンにより行うことを特徴とする、請求項２記載の水冷式空気調和装置。
【請求項５】
給水ポンプと水冷凝縮器とを結ぶ配管に水温センサーを設け、前記水温センサーの検出温度が所定の値以上になったとき、水冷式空気調和装置の運転を停止することを特徴とする、請求項１〜４のいずれかに記載の水冷式空気調和装置。
【発明の詳細な説明】
【技術分野】
【０００１】
本発明は、水冷式空気調和装置に用いる給水ポンプの制御に関するものである。
【背景技術】
【０００２】
図６は、従来の水冷式空気調和装置の構成図であり、熱交換器６（以下：蒸発器）と、送風機５と、圧縮器２と、二重管熱交換器３（以下：水冷凝縮器）と減圧器４と、給水ポンプ７と、制御部１とからなる。
【０００３】
この冷凍サイクルにおいて、圧縮機２から吐出された冷媒は、水冷凝縮器３、減圧器４、蒸発器６と通り、再び圧縮機１に戻ってくる。そして、この流れが繰返される。また冷媒は、水冷凝縮器３で水と、蒸発器６で空気と、各々熱交換される。
【０００４】
従来の水冷式空気調和装置の動作は、前記水冷式空気調和装置本体の運転スイッチが入れば前記水冷式空気調和装置の運転を行い、停止スイッチが入れば前記水冷式空気調和装置の停止を行っている。この理由は、前記水冷式空気調和装置に搭載された冷凍サイクルの高圧部を所定の圧力以下に保つためであり、冷却水容器内の冷却水の温度を測定し、冷却水の温度上昇の値によって判定を行っている。ある一定の温度に達すると、前期水冷式空気調和装置の停止を行うしくみになっている（例えば、特許文献１参照）。
【特許文献１】特開２００２―３３３１６０号公報
【発明の開示】
【発明が解決しようとする課題】
【０００５】
しかしながら、上記従来の構成では、水路内の温度が上昇しない場合、給水ポンプは連続的に運転される。このような場合、給水ポンプが連続運転を続けることによって、給水ポンプへの負荷が過大になるという課題を有していた。
また、水温が所定の温度に上昇した時には本体運転を停止していた。このような場合、冷媒の熱交換が出来なくなり、冷風が出ず、使用者の快適性を低下させていた。
【０００６】
本発明は、給水ポンプの運転停止動作を所定のパターンになるように制御し、給水ポンプの運転時間の総和は増大させることなく、即ち負荷の増大を防いで本体はできるだけ停止させないようにして、需要者の快適性を確保することを目的とするものである。
【課題を解決するための手段】
【０００７】
前記従来の課題を解決するために、本発明の水冷式空気調和機は、給水ポンプによって前記水冷凝縮器に水を循環させる水冷式空気調和装置に於いて、前記水冷式空気調和の運転中に前記給水ポンプの運転停止動作を所定の運転パターンで行うもので、給水ポンプの寿命を低下させることなく、使用者の快適性を向上させるものである。
【０００８】
また、本発明の水冷式空気調和機は、給水ポンプと水冷凝縮器とを結ぶ配管に水温センサーを設け、前記水温センサーの検出温度が所定の値以上になったとき、水冷式空気調和装置の運転を停止するものである。これらの構成をなすことにより、給水ポンプの寿命を低下させることなく、使用者の快適性を向上させるものである。
【発明の効果】
【０００９】
本発明の水冷式空気調和機は、給水ポンプの寿命を短縮することなく、長時間の運転を確保し、使用者の快適性を向上させるものである。
【発明を実施するための最良の形態】
【００１０】
以下、本発明の実施の形態について図面を参照して説明する。
【００１１】
（実施の形態１）
図１は、本発明の実施の形態１におけるシステム構成図、図２は、制御フローチャート、図３〜５は、制御のタイミングチャートに表した図である。
【００１２】
図１は、蒸発器６と、圧縮器２と、水冷凝縮器３と、減圧器４と、送風機と、給水ポンプ７と、制御部１と、時限制御部１３からなる水冷式空気調和装置１２を表している。
【００１３】
従来技術と共通する部分については、同じ符号を付け、説明は省略する。
【００１４】
水冷凝縮器３を冷却する冷却水８は水冷式空気調和装置１２の外部に設けた冷却水容器９内に蓄えられており、その冷却水容器９内に給水ポンプ７が備えられている。冷却水８は給水ポンプ７により矢印の向きに配管１０を通り、水冷凝縮器３内で冷媒を冷却した後、暖められた冷却水は配管１０を通り、再び冷却水容器９内へ戻る。
【００１５】
また、この冷凍サイクルにおいては、圧縮器２から排出された冷媒は、水冷凝縮器３に入り、冷却水８と熱交換した後、減圧器４を介して蒸発器６に入り、空気と熱交換して圧縮器２に戻るという周知のサイクルとなっている。
【００１６】
上記の基本動作を繰り返し、冷風運転を行っている。この運転中に給水ポンプ７の動作を制御する。制御部１内に給水ポンプの動作を指示を行う時限制御部１３を新たに設け、本体の運転中に給水ポンプ７の運転、停止動作を行える構成である。
【００１７】
図２を用いて、この制御動作を表した制御フローチャートについて説明する。まず、運転を行う為に、本体の操作スイッチをＯＮする（Ｓ１４）。その後、送風機５が回転し、給水ポンプ７、時限制御部１３、圧縮器２の順番で運転を開始する（Ｓ１５、Ｓ１６）。その後、時限制御部１３からOFF信号が入れば、給水ポンプ７の停止を行う（Ｓ１９）。OFF信号が無ければ、給水ポンプ７の運転は継続される（Ｓ１８）。このとき、冷却水８の水温が所定温度に達すると、水冷式空気調和装置の運転を停止する（Ｓ２２）。設定の温度より、低ければ動作を継続し、高ければ本体の製品保護として操作スイッチをOFFする（Ｓ２１）。または、水冷式空気調和装置本体の操作スイッチがOFFされれば、全停止を行う（Ｓ２２）。
【００１８】
図３、図４、図５は、Ｓ１８におけるポンプ運転の動作をタイミングチャートに示した図である。制御データとして、使用の形態によって様々な運転パターンが搭載されている。
【００１９】
図３は、業務用として、連続運転を行う場合に使用する。例えば、冷却水容器９内に別水路から冷却水８を補給する場合、冷却水容器９内の温度は、ほぼ一定に保たれる為、給水ポンプ７の連続運転が行われる。その場合、連続して給水ポンプ７が動作する時間が長くなり、給水ポンプ７への負荷が増大するので、この制御を使用する。
【００２０】
図４、図５は、一般的な場合、例えば、一般家庭で使用する場合、もしくは、省エネを行いたい場合に使用する。
【００２１】
このように、ポンプ７の運転と停止を頻繁に行えば、冷却水の温度の上昇を招くことないので、冷凍サイクルの高圧部分の圧力を上昇させることなく使用でき、このため本体と
しては連続して運転することができ、使用者の快適性を確保することができる。
【００２２】
また、一方で冷却水温が上昇しないような環境下であっても、給水ポンプ７が連続運転することなく、給水ポンプ７への負荷を低減することができる。
【産業上の利用可能性】
【００２３】
以上のように、本発明にかかる水冷式空気調和機は、冷却水の給水ポンプ運転停止のパターンを様々に制御して、給水ポンプの連続運転時間を増大させることなく、しかも冷凍サイクルの高圧部分を上昇させることがないので、ブラインを用いた商業用エアコンへも応用できる。
【図面の簡単な説明】
【００２４】
【図１】本発明の実施の形態１のシステム構成図
【図２】本発明の実施の形態１のフローチャート
【図３】本発明の実施の形態１のタイミングチャート
【図４】本発明の実施の形態１のタイミングチャート
【図５】本発明の実施の形態１のタイミングチャート
【図６】従来の空気調和機のシステム構成図
【符号の説明】
【００２５】
１  制御部
２  圧縮器
３  二重管熱交換器（凝縮器）
４  減圧器
５  送風機
６  熱交換器（蒸発器）
７  給水ポンプ
８  冷却水
９  冷却水容器
１０  配管
１１  水温センサー
１２  水冷式空気調和装置
１３  時限制御部
【図１】
2005083636.tif 000003
【図２】
2005083636.tif 000004
【図３】
2005083636.tif 000005
【図４】
2005083636.tif 000006
【図５】
2005083636.tif 000007
【図６】
2005083636.tif 000008